(57)【要約】【課題】簡易な構造で高い通気性と防水性を両立させた開放型履物を提供する。【解決手段】本発明の開放型履物は、足を履物の底に固定するための鼻緒、アッパー又はベルトと、足の甲の少なくとも一部を覆うカバーと、カバーの内側に空気を導入するための空気導入口と、カバーの内側の空気を排出するための空気排出口を備える。歩行時に足を移動させることで、空気を空気導入口を介してカバー内部に積極的に導入し、この空気で足の皮膚を乾燥させた後、空気排出口から排出する。また、雨天の歩行時にはカバーによって雨等を遮断できる。【選択図】図１
2015029539.tif 000002
【特許請求の範囲】
【請求項１】
足を履物の底に固定するための鼻緒と、前記鼻緒の表面に取り付けられる支持部材と、前記支持部材に取り付けられることで、前記鼻緒から浮上した状態で足の指及び足の甲の全体を覆うカバーと、カバー内側の空間に空気を導入するための空気導入口と、カバー内側の空間の空気を排出するための空気排出口とを備えており、カバーの下端部全体が前記底から離間していることによってカバーの下端部全体で前記空気導入口が形成されることを特徴とする開放型履物。
【請求項２】
足を履物の底に固定するための鼻緒と、足の甲の少なくとも一部を覆うカバーと、カバー内側の空間に空気を導入するための空気導入口と、カバー内側の空間の空気を排出するための空気排出口を備えることを特徴とする開放型履物。
【請求項３】
前記カバーが支持部材に支持されることを特徴とする請求項２に記載の開放型履物。
【請求項４】
前記支持部材が小片であることを特徴とする請求項１又は３に記載の開放型履物。
【請求項５】
平面視した場合に、前記カバーの下端部の少なくとも一部が前記底よりも外側に位置することで前記空気導入口が形成されることを特徴とする請求項２〜４のいずれか一項に記載の開放型履物。
【請求項６】
側面視した場合に、前記カバーの下端部の少なくとも一部が前記底よりも上側に位置することで前記空気導入口が形成されることを特徴とする請求項２〜５のいずれか一項に記載の開放型履物。
【請求項７】
前記カバーの下端部全体が前記底から離間していることによってカバーの下端部全体で前記空気導入口が形成されることを特徴とする請求項２〜６のいずれか一項に記載の開放型履物。
【請求項８】
前記空気導入口が、カバーの前端部では前方に開口しており、カバーの左右側面部では左右方向に開口しており、カバーの後端部では下方に開口していることを特徴とする請求項１〜７のいずれか一項に記載の開放型履物。
【請求項９】
背面視した場合に、内くるぶし側の空気排出口よりも外くるぶし側の空気排出口の幅の方が広いことを特徴とする請求項１〜８のいずれか一項に記載の開放型履物。
【請求項１０】
前記カバーと前記底によって概略構成される幅方向の鉛直断面積が、前方から後方に向かって漸増することを特徴とする請求項１〜９のいずれか一項に記載の開放型履物。
【請求項１１】
前記底の後部に足の踵を覆うフードを備えることを特徴とする請求項１〜１０のいずれか一項に記載の開放型履物。
【請求項１２】
前記カバー内側の空間に空気を導入する又は前記カバー内側の空間の空気を排出する送風装置を備えることを特徴とする請求項１〜１１のいずれか一項に記載の開放型履物。
【請求項１３】
前記カバーが日焼け防止機能を備えることを特徴とする請求項１〜１２のいずれか一項に記載の開放型履物。
【請求項１４】
前記カバーが硬質素材からなることを特徴とする請求項１〜１３のいずれか一項に記載の開放型履物。
【請求項１５】
前記カバーが軟質素材からなることを特徴とする請求項１〜１３のいずれか一項に記載の開放型履物。
【請求項１６】
前記カバーが遮熱材からなることを特徴とする請求項１〜１５のいずれか一項に記載の開放型履物。
【請求項１７】
前記カバーの表面に絵柄を描くことができることを特徴とする請求項１〜１６のいずれか一項に記載の開放型履物。
【請求項１８】
前記カバーの表面に多数の穴が形成されており、当該穴に装飾部材を挿入して配置・固定することを特徴とする請求項１〜１７のいずれか一項に記載の開放型履物。
【請求項１９】
前記カバーの表面に着脱自在なステージを備えており、当該ステージの上に装飾部材を配置・固定できることを特徴とする請求項１〜１８のいずれか一項に記載の開放型履物。
【請求項２０】
前記ステージに多数の穴が形成されており、当該穴に装飾部材を挿入して配置・固定することを特徴とする請求項１９に記載の開放型履物。
【請求項２１】
前記カバーにＬＥＤライトを備えることを特徴とする請求項１〜２０のいずれか一項に記載の開放型履物。
【請求項２２】
前記ＬＥＤライトが、履いたら電源を入れ、脱いだら電源を切るスイッチによって作動することを特徴とする請求項２１に記載の開放型履物。
【請求項２３】
前記カバーの表面に太陽光発電装置を備え、発電した電力を蓄えるための蓄電池を備えることを特徴とする請求項１〜２２のいずれか一項に記載の開放型履物。
【請求項２４】
前記カバーに歩数計を備えることを特徴とする請求項１〜２３のいずれか一項に記載の開放型履物。
【請求項２５】
前記カバーの表面に表示画面を備えており、携帯電話等の通信手段を介して入手した図柄を当該表示画面に表示できることを特徴とする請求項１〜２４のいずれか一項に記載の開放型履物。
【請求項２６】
前記カバーが革靴風の素材及び図柄からなることを特徴とする請求項１〜２５のいずれか一項に記載の開放型履物。
【請求項２７】
前記カバーが着脱自在であることを特徴とする請求項１〜２６のいずれか一項に記載の開放型履物。
【請求項２８】
前記カバーの後端部に切り込みを備えることを特徴とする請求項１〜２７のいずれか一項に記載の開放型履物。
【請求項２９】
前記カバーの表面及び裏面の少なくとも一方に、光触媒としての酸化チタンを付着させることを特徴とする請求項１〜２８のいずれか一項に記載の開放型履物。
【発明の詳細な説明】
【技術分野】
【０００１】
本発明は、簡易な構造で高い通気性と防水性を両立させた履物に関し、特にサンダルのように鼻緒を有していて足の甲が大気に開放されている開放型履物に関する。
【背景技術】
【０００２】
足に皮膚病を患っている者は足の皮膚を常に乾燥させた状態に保っておくことが何より重要であり、日常生活ではサンダル、草履、下駄等の足の皮膚を覆わない構造（足の甲が大気に開放されている構造）の履物を使用せざるを得ないが、これら開放型履物は降雨時に足の皮膚が濡れてしまうという問題がある。
そこで、降雨時に特許文献１のようなカバーで開放型履物を覆うことにすれば足の皮膚が濡れる事態を防ぐことができる。
なお、本明細書において「開放型履物」とは、鼻緒によって足を底に固定する仕組みをもつ履物全般を指し、一般的なサンダルのほか、草履や下駄も「開放型履物」に含まれるものとする。開放型履物の用途は紳士・婦人・子供・乳幼児用等、特に限定しないものとし、素材も天然皮革、合成皮革、天然繊維、合成繊維、ゴム、布、木材及びこれらを組み合わせたもの等、特に限定しないものとする。
【先行技術文献】
【特許文献】
【０００３】
【特許文献１】実開平１−１７７５０２号公報
【発明の概要】
【発明が解決しようとする課題】
【０００４】
しかし、特許文献１の発明では降雨時の湿度が高い空気がカバー内部に籠ってしまい、足の皮膚が湿った状態になってしまうという問題や、カバーの脱着が煩雑になるという問題がある。
【０００５】
本発明はこのような問題に鑑み、簡易な構造で高い通気性と防水性を両立させた開放型履物を提供することを課題とする。
【課題を解決するための手段】
【０００６】
本発明の開放型履物は、足を履物の底に固定するための鼻緒と、前記鼻緒の表面に取り付けられる支持部材と、前記支持部材に取り付けられることで、前記鼻緒から浮上した状態で足の指及び足の甲の全体を覆うカバーと、カバー内側の空間に空気を導入するための空気導入口と、カバー内側の空間の空気を排出するための空気排出口とを備えており、カバーの下端部全体が前記底から離間していることによってカバーの下端部全体で前記空気導入口が形成されることを特徴とする。
また、足を履物の底に固定するための鼻緒と、足の甲の少なくとも一部を覆うカバーと、カバー内側の空間に空気を導入するための空気導入口と、カバー内側の空間の空気を排出するための空気排出口を備えることを特徴とする。
また、前記カバーが支持部材に支持されることを特徴とする。
【０００７】
また、前記支持部材が小片であることを特徴とする。
また、平面視した場合に、前記カバーの下端部の少なくとも一部が前記底よりも外側に位置することで前記空気導入口が形成されることを特徴とする。
また、側面視した場合に、前記カバーの下端部の少なくとも一部が前記底よりも上側に位置することで前記空気導入口が形成されることを特徴とする。
また、前記カバーの下端部全体が前記底から離間していることによってカバーの下端部全体で前記空気導入口が形成されることを特徴とする。
また、前記空気導入口が、カバーの前端部では前方に開口しており、カバーの左右側面部では左右方向に開口しており、カバーの後端部では下方に開口していることを特徴とする。
【０００８】
また、背面視した場合に、内くるぶし側の空気排出口よりも外くるぶし側の空気排出口の幅の方が広いことを特徴とする。
また、前記カバーと前記底によって概略構成される幅方向の鉛直断面積が、前方から後方に向かって漸増することを特徴とする。
また、前記底の後部に足の踵を覆うフードを備えることを特徴とする。
また、前記カバー内側の空間に空気を導入する又は前記カバー内側の空間の空気を排出する送風装置を備えることを特徴とする。
また、前記カバーが日焼け防止機能を備えることを特徴とする。
また、前記カバーが硬質素材からなることを特徴とする。
また、前記カバーが軟質素材からなることを特徴とする。
【０００９】
また、前記カバーが遮熱材からなることを特徴とする。
また、前記カバーの表面に絵柄を描くことができることを特徴とする。
また、前記カバーの表面に多数の穴が形成されており、当該穴に装飾部材を挿入して配置・固定することを特徴とする。
また、前記カバーの表面に着脱自在なステージを備えており、当該ステージの上に装飾部材を配置・固定できることを特徴とする。
また、前記ステージに多数の穴が形成されており、当該穴に装飾部材を挿入して配置・固定することを特徴とする。
また、前記カバーにＬＥＤライトを備えることを特徴とする。
また、前記ＬＥＤライトが、履いたら電源を入れ、脱いだら電源を切るスイッチによって作動することを特徴とする。
また、前記カバーの表面に太陽光発電装置を備え、発電した電力を蓄えるための蓄電池を備えることを特徴とする。
【００１０】
また、前記カバーに歩数計を備えることを特徴とする。
また、前記カバーの表面に表示画面を備えており、携帯電話等の通信手段を介して入手した図柄を当該表示画面に表示できることを特徴とする。
また、前記カバーが革靴風の素材及び図柄からなることを特徴とする。
また、前記カバーが着脱自在であることを特徴とする。
また、前記カバーの後端部に切り込みを備えることを特徴とする。
また、前記カバーの表面及び裏面の少なくとも一方に、光触媒としての酸化チタンを付着させることを特徴とする。
【発明の効果】
【００１１】
本発明の開放型履物では、足の甲の少なくとも一部をカバーで覆うと共に、カバー内側に空気を通すための空気導入口と、カバー内の空気を外部に排出するための空気排出口を設けている。
歩行時に足を移動させることで、空気導入口を介してカバー内側に空気を強制的（積極的）に導入し、この空気で足の皮膚を乾燥させ、空気排出口から排出する。また、雨天の走行時にはカバーによって雨等を遮断し、足の皮膚が濡れてしまう事態を防止する。このように簡易な構造にも関わらず高い通気性と防水性を両立させた開放型履物を得ることができる。
特に、足の指の全体及び足の甲の全体をカバーで覆うことにすれば、雨天時等に足の皮膚が濡れてしまう事態をほぼ完全に防止できる。
また、カバーの下端部全体を底から離間させることで、カバーの下端全体を空気導入口として利用することにすれば、カバー内側に大量の空気を導入することが可能となるので、極めて高い通気性を確保できる。
【００１２】
カバーは支持部材としての小片を介して鼻緒の表面に取り付けることができる。鼻緒は本来的に足の甲に沿った形状となるように設計されているため、鼻緒に支持部材を取り付け、支持部材にカバーを取り付けることにすれば、カバーも自ずから足の甲に沿った形状にできる。
また、支持部材を用いることでカバーが鼻緒から浮上した状態で支持されることになる。これにより、カバーを支持部材を介さずに鼻緒に直接固定する場合と比較して、カバー内側の空間の体積を広くすることができるので、より多くの空気を流通させることが可能となり、通気性をより高めることができる。
【００１３】
また、平面視した場合に、カバーの端部の少なくとも一部を開放型履物の底の端部よりも外側に位置させたり、あるいは側面視した場合に、カバーの端部の少なくとも一部を底の表面よりも上側に位置させることにすれば、空気導入口の開口面積が拡大され、より効率的に空気をカバー内部に導入できる。
また、空気導入口の形状に関して、カバーの前端部では前方に開口させ、カバーの左右側面部では左右方向に開口させ、カバーの後端部では下方に開口させるのが好ましいい。なぜなら、歩行時に足を前方（斜め前方も含む）へ移動させている間は前方及び左右方向に向いた開口から空気をカバー内部に導入でき、足を下方へ移動させている間は左右方向及び下方に向いた開口から空気をカバー内部に導入できる。つまり、歩行中途切れることなく新鮮な空気をカバー内部に供給できることになるからである。同様の効果は歩行中のみならず、走行中及び自転車のペダルを漕いでいる間も得られる。
また、背面視した場合に、内くるぶし側の空気排出口よりも外くるぶし側の空気排出口の幅の方を広くすれば、歩行中に左右のカバーの内くるぶし側同士がぶつかる事態を防止できる。
【００１４】
また、カバーと底によって構成される幅方向の鉛直断面積を前方から後方に向かって漸増させることで、開放型履物を履いた状態において空気導入口の開口面積よりも空気排出口の開口面積の方を大きくするのが好ましい。これにより、カバー内部に導入された空気を滞留させることなく速やかに空気排出口から外部に排出できる。
また、底の後部に足の踵を覆うフードを備えることにすれば防水性をより向上でき、また、送風装置を備えることにすれば通気性をより向上できる。
また、カバーに日焼け防止機能を持たせたり、表面に絵柄を描けるようにしたり、革靴風の素材及び図柄を施すことにすればファッション性や意匠性を向上できる。同様に、カバーの表面に表示画面を設けて、携帯電話等の通信手段を介して入手した図柄を当該表示画面に表示できることにしてもファッション性や意匠性を向上できる。
【００１５】
また、カバーを硬質素材で製造すれば落下物に対して足を保護でき、いわゆる安全靴としての機能を付与することができる。
また、カバーを軟質素材で製造すればカバーを開放型履物本体の屈曲や捩じれに追従させることができ、履き心地を向上できる。また、カバーの後端部に切り込みを備えることにすれば、カバーの後端部が足に接触する場合に当該切り込み箇所が変形するので足への負担を軽減できる。
また、カバーを着脱自在にすることでカバーのみの洗濯を可能にしてもよい。
また、カバーの表面及び裏面の少なくとも一方に、光触媒としての酸化チタンを付着させることで、カバーに抗菌機能、脱臭機能及び防汚機能を付与することができる。
【００１６】
また、カバーを周知の遮熱材で製造すればカバー内部の温度上昇を抑制できる。
また、カバーの表面に着脱自在なステージを設け、当該ステージの上に装飾部材を配置・固定できるようにすればカバーの意匠性や趣味性が高まる。また、開放型履物購入時における特に女性や子供への訴求力を高めることができる。
また、カバー又はステージに多数の穴を形成し、当該穴に装飾部材を挿入することにすれば配置・固定を容易に行なうことができる。
また、カバーにＬＥＤライトを設け、所定のタイミングでのスイッチ操作による点灯、自動点灯、又は履いたら電源が入り、脱いだら電源が切れるスイッチによって点灯することにすれば、開放型履物の視認性が高まり、夜間等外出時の安全性を高めることができる。
また、カバーの表面に太陽光発電装置を備え、発電した電力を蓄えるための蓄電池を備えることにすれば、上記ＬＥＤライトや、携帯電話等の電子機器への電力供給に使用できる。
また、カバーに歩数計を備えることにすれば使用者の健康増進に寄与できる。
【図面の簡単な説明】
【００１７】
【図１】右足用サンダルの左側面を模式的に示す図
【図２】透明のカバーを取り付けた状態を示す図
【図３】サンダルを履いた状態を示す左側面図（ａ）と歩行時の空気の流れを示す図（ｂ）
【図４】サンダルを履いた状態を示す正面図（ａ）と歩行時の空気の流れを示す図（ｂ）
【図５】第１の実施の形態の開放型履物を左斜め上から見た図
【図６】第１の実施の形態の開放型履物を後方から見た図
【図７】第１の実施の形態の開放型履物を右斜め上から見た図
【図８】第１の実施の形態の開放型履物の右側面図
【図９】第１の実施の形態の開放型履物の正面図
【図１０】第１の実施の形態の開放型履物の底面図
【図１１】第１の実施の形態の開放型履物の変形例を示す斜視図
【図１２】第２の実施の形態におけるカバーの平面図（ａ）及び縦断面図（ｂ）
【図１３】第２の実施の形態におけるカバーの平面図（ａ）及び縦断面図（ｂ）
【図１４】第２の実施の形態におけるカバーの平面図
【発明を実施するための形態】
【００１８】
［第１の実施の形態］
本発明の開放型履物の第１の実施の形態を図を用いて説明する。
本実施の形態では開放型履物本体がサンダルである。
図1は側面視したサンダル１０を模式的に示したものであり、カバー２０に着色を施すことで内部が見えない状態になっている。図２は理解を容易にするためにカバー２０を透明にして内部を視認できる状態にしたものであり、図３及び４は右足でサンダル１０を履いた状態を示したものである。また、図５〜図１０は透明なカバー２０を付けたサンダル１０をより写実的に示したものである。
なお、本実施の形態では右足用のサンダル１０を用いて説明するが、左足用のサンダルについても同様の構成を備えているものとする。また、図４では支持部材６０の図示を省略している。
【００１９】
カバー２０はサンダル１０の鼻緒１１に取り付けられており、カバー２０によって空気導入口３０、空気排出口４０が形成される。
鼻緒１１は足を開放型履物の底１２に固定するために一般的に広く使用されているものと同様の部材であり、底１２の前端部に取り付けた前坪から鼻緒本体が左右後方に枝分かれして取り付けられている。
【００２０】
カバー２０は足の甲の少なくとも一部を覆う部材である。本実施の形態では底１２の前端部よりも僅かに前方に突出し、鼻緒１１の後端よりも僅かに後方にまで及んでいる。カバー２０の素材は特に限定されるものではないが、例えばサンダルなど使用時に屈曲や捩じれの度合いが大きい開放型履物に使用する場合にはビニール、軟質プラスチック、ポリウレタン等の合成ゴム等の軟質素材を用いるのが好ましい。本実施の形態ではカバー２０を軟質素材で形成しているため変形量が大きい。したがって、図５〜１０においてカバー２０の形状は必ずしも相互に一致していない場合がある。
【００２１】
カバー２０は鼻緒１１の表面に取り付けた支持部材６０に支持されている。具体的には、鼻緒１１の表面に支持部材６０としての立方体形状の小片６１を複数（本実施の形態では６個）固着させており、各小片６１の表面に塗布した接着剤によってカバー２０の裏面と接着している。一般的に鼻緒１１は足の甲の形状に沿うように設計されているので、鼻緒１１の表面に小片６１を適当な間隔で配置していくことで、各小片６１に接着されるカバー２０も足の甲の形状に沿った形状になり、且つ足の甲に対して一定の間隔を空けて取り付けられる。なお、面ファスナー、ホック、ボタン等を用いて支持部材６０にカバー２０を取り付けることで、カバー２０を開放型履物本体から着脱自在の構成にしてもよい。
また、カバー２０の後端部２４に切り込み２０ａ（図５〜１０参照）を設けることにすれば、カバー２０の後端部２４が足に接触する場合に当該切り込み２０ａが弾性変形するので足への負担を軽減できる。
【００２２】
空気導入口３０はカバー２０の内側に空気を導入するために設けられる。上述の通りカバー２０は支持部材６０を介して鼻緒１１に取り付けられており、開放型履物を平面視した場合に、カバー２０の左右の端部２１が底１２の端部よりも外側に位置するようになっている（図４〜６参照）。空気導入口３０は、このカバー２０の左右の端部２１と底１２の端部との間に生じる空隙によってその一部が形成されている。
また、図１〜３に示すように開放型履物を側面視した場合に、カバー２０の前端部２２が底１２の前端部よりも前方に位置しており、空気導入口３０はカバー２０の前端部２２と底１２の前端部との間に生じる空隙によってもその一部が形成されている。すなわち、カバー２０の前端部２２と底１２の前端部の間に生じる空隙も空気導入口に該当する。
【００２３】
さらに、カバー２０の下端部２３のほぼ全体が底１２の表面よりも上側に位置しており、空気導入口３０はカバー２０の下端部２３と底１２の表面との間に生じる空隙によってもその一部が形成されている。すなわち、カバー２０の下端部２３と底１２の間に生じる空隙も空気導入口３０に該当する。
このように、本実施の形態においてはカバー２０の下端部２３全体が底１２から離間していることによってカバー２０の下端部２３全体で空気導入口３０を形成している。
なお、カバー２０内側への空気の導入量の調節は空気導入口３０の開口面積（上記各空隙のサイズ）を調節することで行なえばよい。
【００２４】
空気排出口４０はカバー２０の内側の空気を排出するために設けられ、カバー２０の後端部２４と底１２の表面との間に生じる空間によって形成される。詳しい説明は後述するが、空気導入口３０から入った空気はカバー内部５０を通って空気排出口４０から排出されることになる。
また、図１〜３に示すように、カバー２０と底１２によって概略構成される幅方向の鉛直断面積を前方から後方に向かって漸増させており、これにより開放型履物を履いた状態において空気導入口３０の開口面積と空気排出口４０の開口面積とを比較した場合に、後者の開口面積の方が大きくなるような工夫を施している。
【００２５】
次に、本発明の開放型履物を履いて歩行した場合の機能及び効果について説明する。
開放型履物を履いた状態で歩行を行うべく左右いずれかの足（例えば右足）を前方に移動させると、図３（ｂ）及び図４（ｂ）中に矢印Ａで示すように空気導入口３０のうち特に開放型履物の前側に位置する空気導入口３０から外部の大量の空気Ａ１がカバー内部５０に導入される。右足が前方に移動している間はカバー内部５０を前方から後方に向かって空気が移動し続けるので、導入された空気は足指の先端から足指全体及び股部に至り、その一部は足の甲の表面を後方に移動し、他の一部は足の裏面を後方に移動する。
【００２６】
次に、右足を着地させるべく下方に移動させると、空気導入口３０のうち特に開放型履物の左右に位置する空気導入口３０から外部の空気Ａ２がカバー内部５０に導入される。右足が下方に移動している間はカバー内部５０を下方から上方に向かって空気が移動し続けるので、導入された空気の一部は足指及び甲の左右の側面から上方に移動し、他の一部は足の裏面に至る。
上述のように、開放型履物を履いた状態において空気排出口４０の開口面積の方が空気導入口３０の開口面積よりも大きくなるように設計してあるので、歩行中にカバー内部５０に導入された空気は、カバー内部５０に滞留することなく、速やかに空気排出口４０から外部に排出される。
以上の通り、歩行によってカバー内部５０に常に外部の新鮮な空気が積極的に導入されるので、開放型履物内の湿った空気が速やかに外部に排出されると共に、足の皮膚が汗等で湿った状態であったとしても、導入された空気によって速やかに乾燥状態になり、この状態を常時維持することができる。
【００２７】
なお、使用者が走行した場合にはより多くの空気がカバー内部５０を通過するので、通気性は歩行時よりも高まることになる。
また、使用者が停止した状態であっても、空気導入口３０を形成しているカバー２０の前端部２２が底１２の前端部よりも前方に位置したり、カバー２０の左右の端部２１が底１２の端部よりも外側に位置することによっていわゆる集風効果が働く。つまり、開放型履物の周囲に自然に風が吹いている場合や、扇風機・エアコン等の影響で風が流れている場合には、このカバー２０の前や左右に位置する空気導入口３０によって周囲の空気が集められ、カバー内部５０に導入される。したがって、本発明の開放型履物を、カバー２０を付けていない通常の開放型履物（サンダル）と比較した場合に、使用者が停止している状態でも、本発明の開放型履物は通常の開放型履物とほぼ同程度の通気性を有している。
【００２８】
なお、本実施の形態では支持部材６０としての小片６１が立方体形状であるとしたが、例えば図１１に示すように、鼻緒１１後端の左右側面近傍に取り付ける小片６２については厚みを抑えた形状にすることで、カバー２０の幅を抑えることができ、開放型履物のデザイン性を高めることができる。
また、支持部材としての小片の形状は特に限定される物ではなく、例えば上下２つの四角形の薄板状の部材を支柱で繋いだＩ字状であってもよい。小片をＩ字状にすることで、立方体形状の小片６１と比較して支持部材６０を軽量化することができ、カバー２０を付けた場合でも使用者が違和感を感じにくくなると共に、小片自体に可撓性を持たせ易くなるので、歩行・走行中の開放型履物の屈曲や捩じれにカバーが追従し、使用者がより異和感を感じにくくなる。
また、視認性を高めるためにカバー２０を透明にしているが、当然カバー２０に着色を施してもよい。
また、支持部材６０を介してカバー２０を開放型履物本体に取り付ける構造について説明したが、これに限らず、支持部材６０を用いずにカバー２０の内面を直接鼻緒に固着する構造であってもよい。
【００２９】
［第２の実施の形態］
次に、本発明の第２の実施の形態について説明するが、上記各実施の形態と同様の構成となる箇所については同一の符号を付してその説明を省略する。
図１２〜１４に示すように、本実施の形態ではカバー表面の構造に特徴を有する。
具体的には、図１２ではカバー２０の表面に着脱自在なステージ８０を備えている。ステージ８０をカバー２０に着脱自在に固定するための手段は特に限定されるものではないが、例えば面ファスナーを用いたり、ステージ８０の裏面に粘着剤を塗布する方法が挙げられる。ステージ８０の上には、例えばハート型、星型、花形、円形、動物や人間等の装飾部材８１を配置・固定することができる。これら装飾部材８１はステージ８０に対して面ファスナー等の周知の手段によって着脱自在の構造であってもよく、あるいは一旦配置・固定した後は剥がすことができない構造であってもよい。使用者は予め複数のデザインのステージ８０を製作しておき、気分に合わせて着せ替える（張り替える）ことができる。装飾部材の材質はゴム、プラスチック樹脂、金属など適宜選択すればよい。
【００３０】
図１３ではカバー２０に複数の穴８２を空けており、装飾部材８１の裏面に立設したピン８３を所望の穴８２に挿入することで配置・固定するようになっている。穴の直径は特に限定されないが、実用性を考慮すると2ミリ程度が好ましい。また、穴の形状は円以外にも多角形状でもよく、あるいは切り込みを設けておいて、切り込みを押し開きながらピン８３を挿入することにしてもよい。
図１４ではカバー２０の表面に着脱自在なキャンバス８４を備えている。キャンバス８４をカバー２０に着脱自在に固定するための手段は上記ステージと同様に特に限定されるものではない。キャンバス８４の表面にはペンや筆で絵柄・文字等を描くことができるようになっているため、使用者はキャンバス８４を爪に見立てたネイルアート風にデザインし、気分に合わせて着せ替えて楽しむことができる。
【産業上の利用可能性】
【００３１】
本発明は、簡易な構造で高い通気性と防水性を両立させた開放型履物であり、産業上の利用可能性を有する。
【符号の説明】
【００３２】
１０  サンダル
１１  鼻緒
１２  底
２０  カバー
２０ａ  切り込み
２１  左右の端部
２２  前端部
２３  下端部
２４  後端部
３０  空気導入口
４０  空気排出口
５０  カバー内部
６０  支持部材
６１  小片
８０  ステージ
８１  装飾部材
８２  穴
８３  ピン
８４  キャンバス
【図１】
2015029539.tif 000003
【図２】
2015029539.tif 000004
【図３】
2015029539.tif 000005
【図４】
2015029539.tif 000006
【図５】
2015029539.tif 000007
【図６】
2015029539.tif 000008
【図７】
2015029539.tif 000009
【図８】
2015029539.tif 000010
【図９】
2015029539.tif 000011
【図１０】
2015029539.tif 000012
【図１１】
2015029539.tif 000013
【図１２】
2015029539.tif 000014
【図１３】
2015029539.tif 000015
【図１４】
2015029539.tif 000016